(57)【特許請求の範囲】
【請求項１】
箱状の建物ユニットを複数組み合わせて建築されるユニット式建物の平面図上に、設備部品およびこの設備部品の相互の結線を表した設備図を作成する作業を支援するユニット式建物の設備図作成用ＣＡＤシステムであって、
前記平面図上に照明およびスイッチの入力を指示するとともに、これらを接続する配線の入力を指示する設備部品入力指示手段と、
前記設備部品入力指示手段によって１つの照明に対して２つのスイッチが結線されたとき、三路結線であることを判別する三路結線判別手段とを備え、
前記三路結線判別手段は、三路結線であることを判別したとき、前記スイッチを三路スイッチのシンボルとして表示することを特徴とするユニット式建物の設備図作成用ＣＡＤシステム。
【請求項２】
箱状の建物ユニットを複数組み合わせて建築されるユニット式建物の平面図上に、設備部品およびこの設備部品の相互の結線を表した設備図を作成する作業を支援するユニット式建物の設備図作成用ＣＡＤシステムであって、
前記平面図上に照明およびスイッチの入力を指示するとともに、これらを接続する配線の入力を指示する設備部品入力指示手段と、
前記設備部品入力指示手段によって下階平面図にスイッチおよびそのスイッチに接続する立ち上がり配線が入力されると、その立ち上がり配線シンボルを上階平面図に表示させる仮想シンボル表示手段と、
前記設備部品入力指示手段によって上階平面図に照明およびその照明に接続する立ち下がり配線が入力され、この立ち下がり配線が前記立ち上がり配線シンボルと接続されると、上階平面図に入力された照明と下階平面図に入力されたスイッチとが接続されていることを認識する上下階結線認識手段とを備えたことを特徴とするユニット式建物の設備図作成用ＣＡＤシステム。
【請求項３】
請求項２に記載のユニット式建物の設備図作成用ＣＡＤシステムにおいて、
前記上下階結線認識手段は、１つの照明に対して２つのスイッチが結線されたとき、前記スイッチを三路スイッチのシンボルとして表示することを特徴とするユニット式建物の設備図作成用ＣＡＤシステム。
【請求項４】
請求項２または請求項３に記載のユニット式建物の設備図作成用ＣＡＤシステムにおいて、
前記設備部品入力指示手段で入力された立ち上がり配線に対して、番号を付す番号付与手段を備えていることを特徴とするユニット式建物の設備図作成用ＣＡＤシステム。
【発明の詳細な説明】
【０００１】
【発明の属する技術分野】
本発明は、箱状の建物ユニットを複数組み合わせて建築されるユニット式建物の平面図上に、設備部品およびこの設備部品の相互の結線を表した設備図を作成する作業を支援するユニット式建物の設備図作成用ＣＡＤシステムに関する。
【０００２】
【背景技術】
従来より、工場で製造した箱状（たとえば、直方体状）の建物ユニットを、建築現場で複数組み合わせて建築されるユニット式建物が利用されている。
ユニット式建物の建物ユニットは、図１０に示すように、四隅の柱１１の上下端部を上梁１２および下梁１３で連結した直方体状のフレーム１４を備え、このフレーム１４に図示しない天井面材、床面材、外壁材および間仕切壁を取り付け、これにより居室などを形成したものである。
このようなユニット式建物によれば、従来、建築現場で行っていた作業のほとんどを工場で行うことができるから、建築現場での作業を著しく軽減でき、高品質の建物を短期間で建築できるという利点がある。
【０００３】
このユニット式建物の利点を確保するために、顧客に提供する商品（ユニット式建物）を既製品化し、これにより、設計および製造すべき商品の種類を限定し、設計作業および製造作業の高効率化を図っていたが、これでは、顧客の多様な要望に十分対応することが困難となる。
そこで、一般的な注文建築と同様に、顧客の要求に応じてユニット式建物を一つずつ設計し、設計を行うにあたり、設計作業の効率が十分確保されるように、設計作業を支援するＣＡＤシステムが利用されている。
【０００４】
ユニット式建物の設計に用いられるＣＡＤシステムは、施主と打ち合わせを行いながら建物の基本設計を行う基本設計システムと、基本設計に基づいて詳細仕様を決定し、建物ユニットの生産準備を行う生産準備システムとを備えている。
そして、このようなＣＡＤシステムにより、各建物ユニットの平面配置状態およびその内部の間取りを示す平面図を各階毎に作成するとともに、電気、ガス、水道、空調等の設備部品の配置およびこれらの設備部品の相互の配線、配管などの結線を前記平面図上に表した設備図を作成する。
【０００５】
具体的には、営業担当者（いわゆるディーラ）は、施主の意向を聞きながら建物の間取りおよび建物ユニットの配置を表す平面図や、建物の間取りに応じた電気、ガスなどの設備部品の配置を表す設備図を、上述した基本設計システムにより作成する。
一方、メーカー担当者は、生産準備システムを利用して、基本設計システムで作成された平面図および設備図に基づいて、壁厚、材料仕様などを平面図に書き込んだり、設備部品の配置に応じた配線、配管などの結線を設備図に書き込んで、工場における建物ユニットの生産に供することのできるような形に修正する。
【０００６】
ここで、上述した基本設計システム、生産準備システムにより設備図を作成する場合、ユニット式建物の平面図には、建物ユニット内部を所定のピッチで分割して形成されるグリッドが仮想設定されている。
そして、設備図作成担当者であるオペレータは、ＣＡＤシステムのディスプレイ画面上で配置する設備部品を選択し、グリッドのグリッド交点のいずれかを指定して当該設備部品の配置を指示して設備図を作成していく。
【０００７】
このようなＣＡＤシステムによれば、必要な設備部品をグリッド交点を指定するだけで配置することができるので、ＣＡＤシステムによる設備図の作成を大幅に軽減することができるうえ、仮想設定されたグリッドが建物ユニットを所定のピッチで分割して形成されているので、建物ユニット内の設備部品の配置が規則化され、工場における建物ユニットの生産性を向上させることができる。
【０００８】
【発明が解決しようとする課題】
しかしながら、上述したＣＡＤシステムにより設備図を作成する場合、以下のような問題がある。
たとえば、図１１に示すような、三路結線の各スイッチ１０１，１０２および照明１０３を平面図上に入力させるには、予めスイッチ１０１，１０２が三路結線用の三路スイッチ（３つの端子をもつスイッチ）であるか、単路結線用の単路スイッチ（２つの端子をもつスイッチ）であるかを決めて入力したのち、そのスイッチシンボルと照明シンボルとを接続する線分を入力している。
このため、スイッチ１０１，１０２の入力にあたって、三路スイッチであるか、単路スイッチであるかを選択しなければならないので、オペレータに対して負担になるうえ、誤入力が生じやすいという問題があった。
【０００９】
また、図１１に示すような三路結線は、上階および下階に設けたいずれのスイッチでも照明をオン、オフできるように階段室の照明回路として利用されることが多い。
従来、ＣＡＤシステムにおいて、これらの入力を行う場合、下階平面図にスイッチ１０１を入力し、上階平面図にスイッチ１０２および照明１０３を入力するようにしているが、下階平面図に入力したスイッチ１０１は、上階平面図には表現されないため、照明１０３との関係が自動的に表現できないという問題がある。
そのため、これらを関係づける入力操作を別に行わなければならないので、オペレータの入力工数が増大し、設備図の作成に多くの時間がかかってしまうという問題がある。
【００１０】
本発明の目的は、オペレータの入力負担を軽減し、誤入力がなく、かつ、効率的に設備図を作成することができるユニット式建物の設備図作成用ＣＡＤシステムを提供することにある。
【００１１】
【課題を解決するための手段】
本発明に係る設備図作成用ＣＡＤシステムは、図面の符号を参照して説明すると、箱状の建物ユニットを複数組み合わせて建築されるユニット式建物の平面図上に、設備部品およびこの設備部品の相互の結線を表した設備図を作成する作業を支援するユニット式建物の設備図作成用ＣＡＤシステムであって、前記平面図上に照明ＣＬおよびスイッチＳＷ１，ＳＷ２の入力を指示するとともに、これらを接続する配線Ｌ１，Ｌ２の入力を指示する設備部品入力指示手段３３１と、前記設備部品入力指示手段３３１によって１つの照明ＣＬに対して２つのスイッチＳＷ１，ＳＷ２が結線されたとき、三路結線であることを判別する三路結線判別手段３３３とを備え、前記三路結線判別手段３３３は、三路結線であることを判別したとき、前記スイッチＳＷ１，ＳＷ２を三路スイッチのシンボルとして表示することを特徴とする。
【００１２】
この構成によれば、１つの照明ＣＬに対して２つのスイッチＳＷ１，ＳＷ２が結線されると、三路結線であることが判別されるから、スイッチＳＷ１，ＳＷ２を入力する際にそのスイッチＳＷ１，ＳＷ２が三路スイッチか単路スイッチかを決めなくてもよい。従って、オペレータの入力負担を軽減できるとともに、誤入力もなく、効率的に設備図を作成することができる。
【００１３】
また、前記三路結線判別手段３３３は、三路結線であることを判別したとき、前記スイッチＳＷ１，ＳＷ２を三路スイッチのシンボルとして表示するようにしたので、平面図上に三路スイッチのシンボルが表示されるから、このようにして完成した設備図に基づいて、建物ユニットに取り付ける設備部品を決定するにも設備図を見るだけで容易に決定できる。
【００１４】
また、本発明に係る設備図作成用ＣＡＤシステムは、箱状の建物ユニットを複数組み合わせて建築されるユニット式建物の平面図上に、設備部品およびこの設備部品の相互の結線を表した設備図を作成する作業を支援するユニット式建物の設備図作成用ＣＡＤシステムであって、前記平面図上に照明ＣＬおよびスイッチＳＷ４，ＳＷ５の入力を指示するとともに、これらを接続する配線Ｌ４，Ｌ５，Ｌ６の入力を指示する設備部品入力指示手段３３１と、前記設備部品入力指示手段３３１によって下階平面図にスイッチＳＷ４およびそのスイッチＳＷ４に接続する立ち上がり配線Ｌ４が入力されると、その立ち上がり配線Ｌ４シンボルを上階平面図に表示させる仮想シンボル表示手段３３４と、前記設備部品入力指示手段３３１によって上階平面図に照明ＣＬおよびその照明ＣＬに接続する立ち下がり配線Ｌ６が入力され、この立ち下がり配線Ｌ６が前記立ち上がり配線Ｌ４シンボルと接続されると、上階平面図に入力された照明ＣＬと下階平面図に入力されたスイッチＳＷ４とが接続されていることを認識する上下階結線認識手段３３５とを備えたことを特徴とする。
【００１５】
この構成によれば、上下階がある建物に三路結線を施す場合、設備部品入力指示手段３３１によって、下階平面図上にスイッチＳＷ４およびこれに接続する立ち上がり配線Ｌ４を入力すると、その立ち上がり配線Ｌ４シンボルが上階平面図に表示さる。
従って、上階平面図に照明ＣＬ、これに接続するスイッチＳＷ５および立ち下がり配線Ｌ６を入力する際、上階平面図中に表示されている立ち上がり配線Ｌ４シンボルに立ち下がり配線Ｌ６を簡単に接続させることができる。
すると、この立ち下がり配線Ｌ６が立ち上がり配線Ｌ４シンボルと接続されると、上階平面図に入力された照明ＣＬと下階平面図に入力されたスイッチＳＷ４とが接続されていることが自動的に認識されるから、上下階スイッチＳＷ４，ＳＷ５と照明ＣＬとの関連づけを自動的に行うことができる。
【００１６】
以上において、前記上下階結線認識手段３３５は、１つの照明機器ＣＬに対して２つのスイッチＳＷ４，ＳＷ５が結線されると、前記スイッチＳＷ４，ＳＷ５を三路スイッチのシンボルとして表示することが好ましい。
このようにすれば、たとえば、最初に間違って単路スイッチを入力しても、１つの照明機器ＣＬに対して２つ以上のスイッチＳＷ４，ＳＷ５が結線されると、それらのスイッチＳＷ４，ＳＷ５が三路スイッチのシンボルとして表示されるから、建物ユニットに取り付ける設備部品の間違えをなくすことができる。
【００１７】
また、前記設備部品入力指示手段で入力された立ち上がり配線に対して、番号を付す番号付与手段を備えていることが好ましい。
このようにすれば、複数の立ち上がり配線がある場合でも、間違いを少なく結線できる。
【００１８】
【発明の実施の形態】
以下、本発明の実施の一形態を図面に基づいて説明する。
図１には、本実施形態に係るＣＡＤシステム１が示されている。このＣＡＤシステム１は、顧客の要求に応じてユニット式建物を設計する際に、その設計作業を支援するものであり、主として上述した生産準備システム用のＣＡＤとして利用される。
ＣＡＤシステム１には、記憶装置２０および演算装置３０を含んで構成される中央処理装置１０と、設備部品を配置する階の平面図などを表示するＣＲＴ表示装置２と、コンピュータなどから構成される中央処理装置１０の操作を行うための入力装置３と、設計した設備図などを製図するＸ−Ｙプロッタ装置４と、設計した建物についての積算データなどを印字するプリンタ５とが設けられている。
【００１９】
前記記憶装置２０は、大容量のハードディスク装置を含んで構成されている。記憶装置２０には、ユニット式建物の骨組構造、床構造および壁構造を構成する構造部材に関するデータを蓄積した構造部材情報蓄積手段２１と、建具、キッチンユニットなどに関するデータを蓄積した室内部品情報蓄積手段２２と、照明機器、コンセントなどの設備部品に関するデータを蓄積した設備部品情報蓄積手段２３と、前述の構造部材、仕上げ部材、設備部品の価格などの積算に必要なデータを蓄積した積算情報蓄積手段２４とを備えている。
【００２０】
演算装置３０は、マイクロプロセッサなどからなる高速演算素子を有するもので、各種のソフトウエアがインストールされており、インストールされた複数のソフトウエアを同時に並行処理するマルチタスク機能を備えている。
演算装置３０には、前述のソフトウエアにより、構造部材情報蓄積手段２１に蓄積されたデータを所定の入力操作により入力することにより、ユニット式建物の平面図を自動設計する平面図設計手段３１と、この平面図設計手段３１により設計したユニット式建物の扉、窓、キッチンユニットなどの室内部品の位置および仕様を決定する室内部品入力手段３２と、ユニット式建物の各部屋の各部位に設けられる設備部品をオペレータが配置する設備部品入力手段３３と、積算情報蓄積手段２４から入力されたデータを用いて、設計したユニット式建物を積算する積算手段３４とが設けられている。
なお、演算装置３０は、上述した手段３１〜３４の他に、これらの手段３１〜３４を制御する制御部３５を有している。
【００２１】
ところで、ＣＡＤシステム１では、設計を行うにあたり、建物ユニットの内部平面には、その内部に設けられる仕上げ部材、設備部品の設置位置の基準となるグリッドが仮想設定される。このグリッドは、建物ユニット内部を所定のピッチで分割した複数のグリッドモジュール心線を格子状に組み合わせて構成される。また、建物ユニットの四隅には、他の建物ユニットとの接合作業のための接合領域が設定される。
【００２２】
そして、ユニット式建物の内部空間を縦に仕切る部品である間仕切壁としては、建物ユニットの一本のグリッドモジュール心線に沿って配置されるシングルグリッド壁と、相互に隣接する２つの建物ユニットの境界線の両側に設けられた２本のグリッドモジュール心線に沿って配置されるダブルグリッド壁とが用意され、これらのデータは、上述した構造部材情報蓄積手段２１に蓄積されている。
また、ユニット式建物の内部に設けられるスイッチ、電気コンセント、照明機器などの設備部品は、取付対象となる設備部品のシンボルと部品名称若しくは品番等とを対応させ、さらには、この設備部品の種別に応じた配線シンボルを対応させて設備部品情報蓄積手段２３に蓄積されている。
【００２３】
平面図設計手段３１は、上述したように、平面図上に仮想設定されたいずれかのグリッドモジュール心線を指定し、間仕切壁の配置を指示する壁位置入力手段と、この壁位置入力手段により指定された壁位置に上述したシングルグリッド壁およびダブルグリッド壁のいずれを配置するかを選択する間仕切壁選択手段とを備えている。
室内部品入力手段３２は、グリッド交点を選択して間仕切壁、外壁のどこに扉、窓を設けるかを指定する室内部品配置手段と、指定された位置にどのような室内部品を設けるかを選択する室内部品選択手段とを備えている。
【００２４】
設備部品入力手段３３は、図２に示されるように、グリッドのいずれかのグリッド交点を指定して設備部品の入力・配置を指示する設備部品入力指示手段３３１と、指定された位置にスイッチ、電気コンセント、照明機器、配線、配管部材などの設備部品を配置するかを選択する設備部品選択手段３３２と、この設備部品選択手段３３２によって１つの照明機器に対して２つのスイッチが結線されると、三路結線であることを判別する三路結線判別手段３３３と、前記設備部品入力指示手段３３１によって下階平面図にスイッチおよびそのスイッチに接続する立ち上がり配線（三路結線用配線）が入力されると、その立ち上がり配線シンボルを上階平面図に表示させる仮想シンボル表示手段３３４と、前記設備部品入力指示手段３３１によって上階平面図に照明機器およびその照明機器に接続する立ち下がり配線が入力されると、上階平面図に入力された照明機器と下階平面図に入力されたスイッチとが接続されていることを認識する上下階結線認識手段３３５とを備えている。
【００２５】
次に、ユニット式建物の設計の具体的な例を用いて、本実施形態の動作を説明する。
上述したＣＡＤシステム１でユニット式建物の設備図を作成するには、まず、建物ユニットの配置、居室の間取りを表した平面図を作成し、この平面図上にスイッチ、照明機器、電気コンセント、これらの接続する配線などの設備部品を配置する。
具体的には、▲１▼外壁入力作業、▲２▼間仕切壁入力、▲３▼室内部品入力作業を行うと、ユニット式建物の平面図が完成し、これに設備部品入力作業が行える状態となる。つまり、この平面図上にスイッチ、電気コンセント、照明機器などの設備部品を配置し、これらの設備部品を相互に結ぶ電気配線を表した設備図を作成することが可能となる。
【００２６】
そこで、一例として三路結線を行う際の具体的な設備部品の配置および結線について説明する。
最初に、図３に示すように、作成された平面図のシングルグリッド壁７１の中心線となるグリッドモジュール心線４３のグリッド交点Ｇ１と、ダブルグリッド壁７２が配置されるグリッドモジュール心線４３のグリッド交点Ｇ２にスイッチを配置する場合について説明する。
【００２７】
まず、カーソルＫを建物ユニット７０の内部まで移動し、その建物ユニット７０の指定を行う。すると、指定された建物ユニット７０の内部には、縦および横の両方向のグリッドモジュール心線４３が表示される。この状態で前述の設備部品選択手段３３２により、入力する設備部品としてスイッチを選択する。
次に、グリッドモジュール心線４３のグリッド交点Ｇ１の上にカーソルＫを移動し、選択したスイッチを配置すると、図４の拡大図に示すように、スイッチＳＷ１が表示される。
同様にして、グリッド交点Ｇ２上にカーソルＫを移動し、選択したスイッチを配置する。
【００２８】
次に、上述のようにして入力配置されたスイッチＳＷ１，ＳＷ２によって点消灯される照明機器を配置し、スイッチＳＷ１，ＳＷ２と照明機器との結線をする場合について説明する。
スイッチＳＷ１，ＳＷ２の入力が完了した後、設備部品選択手段３３２により照明機器を選択・入力し、図５に示すように、シングルグリッド壁７１、ダブルグリッド壁７２に囲まれる居室内のグリッド交点Ｇ３の上にカーソルＫを移動して当該グリッド交点Ｇ３を選択する。
グリッド交点Ｇ３を選択決定すると、図６に示すように、グリッド交点Ｇ３に照明機器ＣＬが表示される。
【００２９】
ここで、設備部品選択手段３３２および設備部品入力指示手段３３１により、各スイッチＳＷ１，ＳＷ２と照明機器ＣＬとを接続する配線Ｌ１，Ｌ２を選択、入力し、これらを接続する。
すると、三路結線判別手段３３３は、１つの照明機器ＣＬに２つのスイッチＳＷ１，ＳＷ２が接続されたことを検出し、三路結線であることを判別する。これにより、各スイッチＳＷ１，ＳＷ２を三路スイッチのシンボルとして表示する。
なお、三路結線判別手段３３３は、図７に示すように、１つの照明機器ＣＬに対して１つのスイッチＳＷ１が接続されただけでは、三路結線として判別せず、従って、スイッチＳＷ１，ＳＷ２を単路スイッチのシンボルとして表示する。
【００３０】
次に、階段室を備えた上下階平面図に三路結線のスイッチおよび照明機器を配置する場合について説明する。
まず、図８に示すように、下階平面図の階段室７３近傍のグリッド交点Ｇ４に、上述した操作によりスイッチＳＷ４を入力し、続けて、そのスイッチＳＷ４に接続する立ち上がり配線Ｌ４を入力する。このとき、下階平面図に複数の立ち上がり配線を入力する際には、設備部品入力指示手段３３１によってそれらに番号を付すことができるようになっている。ここに、設備部品入力指示手段３３１が番号付与手段を兼ねている。
【００３１】
下階平面図に立ち上がり配線Ｌ４が入力されると、仮想シンボル表示手段３３４によって、図９に示すように、上階平面図に、下階平面図に入力されたスイッチＳＷ４および立ち上がり配線Ｌ４シンボルが表示される（図９では破線で表現されている）。
ここで、上階平面図の階段室７３近傍のグリッド交点Ｇ５にスイッチＳＷ５を、グリッド交点Ｇ６に照明機器ＣＬをそれぞれ入力するとともに、これらを接続する配線Ｌ５を入力し、これらを接続する。続けて、照明機器ＣＬに接続する立ち下がり配線Ｌ６を入力し、この立ち下がり配線Ｌ６と前記立ち上がり配線Ｌ４シンボルとを接続する。
【００３２】
すると、上下階結線認識手段３３５は、上階平面図に入力された立ち下がり配線シンボＬ６と、下階平面図に入力された立ち上がり配線Ｌ４とが接続されると、上階平面図に入力された照明機器ＣＬと下階平面図に入力されたスイッチＳＷ４とが接続されていると認識する。これにより、上下階のスイッチＳＷ４，ＳＷ５と照明機器ＣＬとを自動的に関連づけて登録することができる。ちなみに、その結果は、図９に示すように図として出力してもよく、あるいは、関連づけられたデータとして出力するようにしてもよい。
【００３３】
このようにして、ユニット式建物の間取りおよび室内部品の配置を表す平面図上に、スイッチ、照明機器、電気コンセントなどの設備部品の配置および結線を表して設備図が完成する。そして、工場では、このようにして完成した設備図に基づいて、各建物ユニット７０などに設ける設備部品を決定して建物ユニットを生産する。
【００３４】
本実施形態によれば、次のような効果がある。
すなわち、平面図上に照明機器ＣＬおよびスイッチＳＷ１，ＳＷ２の入力を指示するとともに、これらを接続する配線Ｌ１，Ｌ２の入力を指示する設備部品入力指示手段３３１と、１つの照明機器ＣＬに対して２つのスイッチＳＷ１，ＳＷ２が結線されたとき、三路結線であることを判別する三路結線判別手段３３３とを備えているから、設備部品入力指示手段３３１によって１つの照明機器ＣＬに対して２つのスイッチＳＷ１，ＳＷ２が結線されると、三路結線であることが判別されるから、スイッチＳＷ１，ＳＷ２を入力する際にそのスイッチＳＷ１，ＳＷ２が三路スイッチか単路スイッチかを決めなくてもよい。従って、オペレータの入力負担を軽減できるとともに、誤入力もなく、効率的に設備図を作成することができる。
【００３５】
その際、三路結線判別手段３３３は、三路結線であることを判別すると、平面図上に入力されたスイッチＳＷ１，ＳＷ２を三路スイッチのシンボルとして表示するから、このようにして完成した設備図に基づいて、建物ユニットに取り付ける設備部品を決定するにも設備図を見るだけで容易に決定できる。
【００３６】
また、前記構成に加え、仮想シンボル表示手段３３４と、上下階結線認識手段３３５とを備えているから、上下階がある建物に三路結線を施す場合、設備部品入力指示手段３３１によって、下階平面図上にスイッチＳＷ４およびこれに接続する立ち上がり配線Ｌ４を入力すると、その立ち上がり配線Ｌ４シンボルが上階平面図に表示さる。従って、上階平面図に照明機器ＣＬ、これに接続するスイッチＳＷ５および立ち下がり配線Ｌ６を入力する際、上階平面図中に表示されている立ち上がり配線Ｌ４シンボルに立ち下がり配線Ｌ６を簡単に接続させることができる。
なお、設備部品入力指示手段３３１で立ち上がり配線を入力する際、これらの対して番号を付すことができるので。複数の立ち上がり配線がある場合でも、間違いが少なく結線できる。
【００３７】
また、立ち下がり配線Ｌ６が立ち上がり配線Ｌ４シンボルと接続されると、上階平面図に入力された照明機器ＣＬと下階平面図に入力されたスイッチＳＷ４とが接続されていることが自動的に認識されるから、上下階スイッチＳＷ４，ＳＷ５を照明機器ＣＬとの関連づけを自動的に行うことができる。従って、特別に関連づけの操作を必要としないから、オペレータの負担を軽減できるとともに、入力工数を低減して効率的に設備図を作成できる。
【００３８】
なお、本発明は、前述の実施形態に限定されるものではなく、次に示すような変形をも含むものである。
すなわち、前述の実施形態では、スイッチＳＷ１，ＳＷ２，ＳＷ４，ＳＷ５および照明機器ＣＬの結線作業をオペレータの入力作業で行うようにしたが、対応関係の明確なものの場合、結線作業を自動的に行うようにすれば、オペレータの入力工数を著しく軽減できる。
この場合、結線作業の自動化に際して、第１のスイッチ、照明機器、第２のスイッチという順番で入力配置すれば、第１のスイッチと照明機器、照明機器と第２のスイッチが自動的に結線できるように構成すればよい。
【００３９】
また、図８および図９では、最初にスイッチＳＷ４，ＳＷ５を三路スイッチとして入力したが、たとえば、上下階結線認識手段３３５に、１つの照明機器に対して２つのスイッチが結線されたとき、前記スイッチを三路スイッチのシンボルとして表示する機能を持たせれば、最初からスイッチの種別を決めなくてもよく、オペレータに対する負担を軽減できる。
【００４０】
また、上述したＣＡＤシステム１は、生産準備システム用として用いられていたが、これに限らず、基本設計システムとして利用しても、前述の実施形態で述べた効果と同様の効果を享受することができる。
その他、本発明の実施の際の具体的な構造および形状などは、本発明の目的を達成できる範囲で他の構造としてもよい。
【００４１】
【発明の効果】
以上の通り、本発明に係るユニット式建物の設備図作成用ＣＡＤシステムによれば、オペレータの入力負担を軽減し、誤入力なく、かつ、効率的に設備図を作成することができる。
【図面の簡単な説明】
【図１】本発明の実施形態に係るＣＡＤシステム全体を表すブロック図である。
【図２】前記実施形態における設備部品入力手段を表すブロック図である。
【図３】前記実施形態で設備部品を入力する前の状態を示す平面図である。
【図４】前記実施形態の設備部品の入力操作を説明するための図３の拡大図である。
【図５】前記実施形態の設備部品の表示状態を示す平面図である。
【図６】前記実施形態の設備部品相互（１つの照明機器と２つのスイッチ）の結線を説明するための平面図である。
【図７】前記実施形態の設備部品相互（１つの照明機器と１つのスイッチ）の結線を説明するための平面図である。
【図８】前記実施形態の下階平面図にスイッチを配置するための平面図である。
【図９】前記実施形態の上階平面図にスイッチおよび照明機器を配置するための平面図である。
【図１０】本発明が適用されるユニット式建物の建物ユニットのフレームを示す斜視図である。
【図１１】三路結線を示す回路図である。
【符号の説明】
１      ＣＡＤシステム
３３    設備部品入力手段
３３１  設備部品入力指示手段（番号付与手段）
３３２  設備部品選択手段
３３３  三路結線判別手段
３３４  仮想シンボル表示手段
３３５  上下階結線認識手段
Ｇ１，Ｇ２，Ｇ３，Ｇ４，Ｇ５，Ｇ６  グリッド交点
ＳＷ１，ＳＷ２，ＳＷ４，ＳＷ５  スイッチ
ＣＬ    照明機器（照明）
Ｌ１，Ｌ２，Ｌ５  配線
Ｌ４    立ち上がり配線
Ｌ６    立ち下がり配線
【図１】
0003871782.tif 000002
【図２】
0003871782.tif 000003
【図３】
0003871782.tif 000004
【図４】
0003871782.tif 000005
【図５】
0003871782.tif 000006
【図６】
0003871782.tif 000007
【図７】
0003871782.tif 000008
【図８】
0003871782.tif 000009
【図９】
0003871782.tif 000010
【図１０】
0003871782.tif 000011
【図１１】
0003871782.tif 000012